(57)【要約】【課題】コピー機能及びファクシミリ通信機能を備えた画像形成装置には、読取用、記録用、通信用と少なくとも３つのハードコーデックが実装されており、このハードコーデックは中々高価で、本発明では、ハードコーデックの実装数を削減して、少ないハード資源で十分な処理動作を実現することを課題とする。【解決手段】画像形成装置（複合機１）は、制御部にエンコード処理及びデコード処理を行う、２つのハードコーデック１５・１６と、使用するハードコーデックの切り替えを制御する制御手段とを備え、該制御手段は、一方のハードコーデック１５（又は１６）を通信用として使用中に、コピーの要求が発生した際には、他方のハードコーデック１６（又は１５）をコピー処理の読取／記録用として設定し、該他方のハードコーデック１６（又は１５）によりエンコード処理を行った後、デコード処理を行うように制御する。【選択図】　図２
2004096691.tif 000002
【特許請求の範囲】
【請求項１】
画像読取部と画像記録部とファクシミリ通信部とを備え、コピー機能及びファクシミリ通信機能が実行可能な画像形成装置であって、
画情報のエンコード／デコード処理が実行可能な複数のハードコーデックと、
使用するハードコーデックの切り替えを制御する制御手段と、
を備え、
前記制御手段は、待機状態からコピー要求が発生した際には、１つのハードコーデックを記録用に、他の残りの全てのハードコーデックを読取用に設定して、該読取用ハードコーデックによるエンコード処理と、該記録用ハードコーデックによるデコード処理とを並行して行うように制御し、
１つのハードコーデックを通信用として使用中にコピー要求が発生した際には、他の残りのハードコーデックを読取／記録用に設定し、該他の残りのハードコーデックを読取用に使用してエンコード処理を行い、該エンコード処理が完了した後に、記録用に切り替えてデコード処理を行うように制御することを特徴とする画像形成装置。
【請求項２】
画像読取部と画像記録部とファクシミリ通信部とを備え、コピー機能及びファクシミリ通信機能が実行可能な画像形成装置であって、
画情報のエンコード／デコード処理が実行可能な複数のハードコーデックと、
使用するハードコーデックの切り替えを制御する制御手段と、
を備え、
前記制御手段は、待機状態からコピー要求が発生した際には、１つのハードコーデックを記録用に、他の残りの全てのハードコーデックを読取用に設定して、該読取用ハードコーデックによるエンコード処理と、該記録用ハードコーデックによるデコード処理とを並行して行うように制御し、
コピー用として全てのハードコーデックを使用中に、通信の要求が発生した際には、使用中にある全てのハードコーデックのうち、少なくとも１つのハードコーデックの使用が終了するまで通信動作の実行を禁止するように制御することを特徴とする画像形成装置。
【請求項３】
画像読取部と画像記録部とファクシミリ通信部とを備え、コピー機能及びファクシミリ通信機能が実行可能な画像形成装置であって、
画情報のエンコード／デコード処理が実行可能な複数のハードコーデックと、
使用するハードコーデックの切り替えを制御する制御手段と、
を備え、
前記制御手段は、待機状態からコピー要求が発生した際には、１つのハードコーデックを記録用に、他の残りの全てのハードコーデックを読取用に設定して、該読取用ハードコーデックによるエンコード処理と、該記録用ハードコーデックによるデコード処理とを並行して行うように制御し、
コピー用として全てのハードコーデックを使用中に、通信が発生した際には、使用中にある全てのハードコーデックのうち、何れか１つのハードコーデックを通信用に切り替えるように制御することを特徴とする画像形成装置。
【発明の詳細な説明】
【０００１】
【発明の属する技術分野】
本発明は、コピー・ファクシミリ複合機等の画像形成装置に関し、詳しくは、画像形成装置におけるコピー処理、やファクシミリ通信処理など複数の処理を効率良く実行する技術に関する。
【０００２】
【従来の技術】
近年、コピー機や、ファクシミリ装置、コピー・ファクシミリ複合機等の画像形成装置には、複数の処理機能が設けられており、例えば、コピー・ファクシミリ複合機では、スキャナ機能、プリンタ機能、ファクシミリ通信機能、コピー機能を備えている。
この複合機の制御部は、制御手段であるＣＰＵ、ＲＯＭ、ＲＡＭ、画像メモリ（ＤＲＡＭ）、画像読取部、画像記録部、ハードコーデック等を備えており、該ハードコーデックは読取用、記録用、通信用と少なくとも３つ実装されている。このハードコーデックは符号化器として機能して、画像読取部で読み取られた画情報を、ＭＨ、ＭＲ、ＭＭＲ方式等により符号化圧縮（エンコード処理）し、また、復号器としても機能して、前記符号化した画情報を、復号伸張（デコード処理）する。
【０００３】
例えば、コピーを行う場合には、複合機の動作モードをコピーモードに切り替えて、フラットベッド上、又は自動原稿搬送装置（ＡＤＦ）に原稿をセットし、スタートキーを押して、コピー操作を実行すると、ＣＰＵから、３つのハードコーデックのうち、読取用のハードコーデックと、記録用のハードコーデックに制御指令が出力される。そして、フラットベッド上、又はＡＤＦにセットされた原稿は画像読取部で読み取られて、その画情報は読取用のハードコーデックによりエンコード処理されて、ページ単位で画像メモリに格納されつつ、このエンコード処理されたデータは記録用のハードコーデックにページ単位で出力されてデコード処理され、画像記録部で記録紙に記録される。
【０００４】
そして、この複合機でコピー動作中に、相手機からファクシミリ受信があったり、時刻指定送信などによるファクシミリ送信動作の要求が発生したりすると、ＣＰＵから、通信用のハードコーデックに制御指令が出力され、該通信用ハードコーデックにより、必要に応じて符号変換処理が行われて、コピー処理と並行して受信、又は送信に係る通信処理が行われる。
ここで、この符号変換処理とは、ファクシミリ送信時、画像メモリに第１のフォーマットで格納されている送信画情報を一旦デコードした後、送信用フォーマットである第２のフォーマットにエンコードする一連の処理、又はファクシミリ受信時、第２のフォーマットで送信されてきた受信画情報を一旦デコードした後、画像メモリに格納するための第１のフォーマットにエンコードする一連の処理のことである。
以上のように３つのハードコーデックをフルに使用することで、コピー処理とファクシミリ通信処理とを同時に実行させ、処理時間の短縮が図られている。
【０００５】
【発明が解決しようとする課題】
ところで、統計によると、これら複合機の諸機能はユーザーによって使用頻度が大きく異なり、ファクシミリ通信機能に関しては、ほとんど使用しないユーザーも比較的多い。このファクシミリ通信機能を稀に使用する場合であっても、通信にある程度の性能を確保してファクシミリ通信機能を持たせるためには、通信用のハードコーデックを実装しておく必要がある。
しかしながら、このハードコーデックを構成する集積回路（ＩＣ）は中々高価であり、そこで、本発明では、複合機の制御部に実装するハードコーデックの数を削減して、少ないハード資源で十分な処理動作を実現する画像形成装置を提供することを課題とする。
【０００６】
【課題を解決するための手段】
本発明の解決しようとする課題は以上の如くであり、次にこの課題を解決するための手段は、以下に示すとおりである。
まず、請求項１に記載のように、画像読取部と画像記録部とファクシミリ通信部とを備え、コピー機能及びファクシミリ通信機能が実行可能な画像形成装置であって、画情報のエンコード／デコード処理が実行可能な複数のハードコーデックと、使用するハードコーデックの切り替えを制御する制御手段と、を備え、前記制御手段は、待機状態からコピー要求が発生した際には、１つのハードコーデックを記録用に、他の残りの全てのハードコーデックを読取用に設定して、該読取用ハードコーデックによるエンコード処理と、該記録用ハードコーデックによるデコード処理とを並行して行うように制御し、１つのハードコーデックを通信用として使用中にコピー要求が発生した際には、他の残りのハードコーデックを読取／記録用に設定し、該他の残りのハードコーデックを読取用に使用してエンコード処理を行い、該エンコード処理が完了した後に、記録用に切り替えてデコード処理を行うように制御する。
【０００７】
そして、請求項２に記載のように、画像読取部と画像記録部とファクシミリ通信部とを備え、コピー機能及びファクシミリ通信機能が実行可能な画像形成装置であって、画情報のエンコード／デコード処理が実行可能な複数のハードコーデックと、使用するハードコーデックの切り替えを制御する制御手段と、を備え、前記制御手段は、待機状態からコピー要求が発生した際には、１つのハードコーデックを記録用に、他の残りの全てのハードコーデックを読取用に設定して、該読取用ハードコーデックによるエンコード処理と、該記録用ハードコーデックによるデコード処理とを並行して行うように制御し、コピー用として全てのハードコーデックを使用中に、通信の要求が発生した際には、使用中にある全てのハードコーデックのうち、少なくとも１つのハードコーデックの使用が終了するまで通信動作の実行を禁止するように制御する。
【０００８】
また、請求項３に記載のように、画像読取部と画像記録部とファクシミリ通信部とを備え、コピー機能及びファクシミリ通信機能が実行可能な画像形成装置であって、画情報のエンコード／デコード処理が実行可能な複数のハードコーデックと、使用するハードコーデックの切り替えを制御する制御手段と、を備え、前記制御手段は、待機状態からコピー要求が発生した際には、１つのハードコーデックを記録用に、他の残りの全てのハードコーデックを読取用に設定して、該読取用ハードコーデックによるエンコード処理と、該記録用ハードコーデックによるデコード処理とを並行して行うように制御し、コピー用として全てのハードコーデックを使用中に、通信が発生した際には、使用中にある全てのハードコーデックのうち、何れか１つのハードコーデックを通信用に切り替えるように制御する。
【０００９】
【発明の実施の形態】
以下に、本発明の画像形成装置の一実施の形態である、コピー・ファクシミリ複合機１を参照しながら説明する。
【００１０】
図１は複合機１の制御構成を示すブロック図であり、複合機１の制御部には、制御手段であるＣＰＵ１０、ＲＯＭ１２、ＲＡＭ１３、画像メモリ（ＤＲＡＭ）１４、画像読取部３、画像記録部４、操作部２、表示部２０、第１ハードコーデック１５、第２ハードコーデック１６、モデム１７、ＮＣＵ（網制御部）１８、ＬＡＮインターフェイス（ＬＡＮ通信制御部）１９が備えられ、前記の各部がバス１１を介して、通信可能に接続されている。
【００１１】
ＲＯＭ１２には、複合機１を制御する制御プログラム等が記憶されており、ＲＡＭ１３には、複合機１の制御状態等の各種情報が一時的に記憶されて、ＣＰＵ１０は、操作部２への入力操作、及びＲＯＭ１２に書き込まれている制御プログラム等に従って、ＲＡＭ１３を作業領域として複合機１の全体制御を実行する。
【００１２】
画像読取部３は、写真、文書、図面等の原稿を光学的に走査（スキャン）して、その反射光や透過光の強度を計り、これをＡＤ（アナログ−デジタル）変換して、イメージデータである画情報を出力する。画像記録部４は、電子写真方式のプリンタで構成され、画像読取部３で出力された画情報や、モデム１７を介して受信した画情報を、記録紙上に記録（印刷）する。画像メモリ１４は、画像読取部３で読み取った画情報をメモリ送信するために一時的に蓄積したり、受信した画情報を画像記録部４により記録するまで一時的に蓄積したりする。この画像メモリ１４には一定のフォーマット（例えば、ＭＭＲ方式）で画情報が蓄積されている。
【００１３】
操作部２には、複合機１を操作するための入力手段として、スタートキー２１などの各種操作キーが設けられている。表示部２０は、ＬＣＤ（液晶ディスプレイ）で構成されており、操作部２上に配置されて、複合機１の動作状態等の各種情報を表示する。
【００１４】
複合機１は、合計２つのハードコーデック（第１ハードコーデック１５、第２ハードコーデック１６）を備えている。ここでは基板面積を小型化するために、単一の集積回路（ＩＣ）内に２つのハードコーデック１５、１６を備えた構成となっている。ただし、各ハードコーデック１５、１６をそれぞれ別の集積回路（ＩＣ）とすることもできる。各ハードコーデック１５、１６は、それぞれ符号化器としての機能と、復号器としての機能とを備えている。符号化器として機能する場合、例えば、画像読取部３に読み取られた画情報を、画像メモリ１４への蓄積用フォーマットである所定のフォーマット（例えばＭＭＲ方式）に符号化圧縮（エンコード処理）する。復号器として機能する場合、例えば、所定のフォーマット（例えばＭＭＲ方式）で符号化圧縮されて画像メモリ１４に蓄積されている画情報を、画像記録部４で記録するために復号伸張（デコード処理）する。ただし、各ハードコーデック１５、１６は、エンコード処理とデコード処理とを同時に実行することはできない。
【００１５】
また、各ハードコーデック１５、１６は符号変換処理を実行可能であり、通信用として設定された場合、必要に応じて、符号化圧縮された画情報の符号変換処理を実行する。例えば、送信時の符号変換処理では、画像メモリ１４に第１のフォーマット（例えばＭＭＲ）で蓄積されている画情報を、送信用フォーマットである第２のフォーマット（例えばＭＨ方式）に変換する。この場合、第１のフォーマットの画情報を一旦デコードした後、第２のフォーマットに変換する。また、受信時の符号変換処理では、第２のフォーマットで送信されてきた画情報を、画像メモリ１４への蓄積用フォーマットである第１のフォーマット（例えばＭＭＲ方式）に変換したりする。この場合、第２のフォーマットの画情報を一旦デコードした後、第１のフォーマットに変換する。
【００１６】
モデム１７は、ＩＴＵ（国際電気通信連合）勧告に従ったファクシミリ伝送制御手順に基づいて、送信データの変調及び受信データの復調を行う。ＮＣＵ（網制御部）１８は、電話回線９との接続を制御するとともに、相手先の電話番号（ファックス番号を含む）に対応したダイアル信号の送出及び着信を検出するための機能を備えている。ＬＡＮインターフェイス（ＬＡＮ通信制御部）１９はパソコンなどをＬＡＮなどの通信ネットワークを介して接続する接点部である。
【００１７】
次に、複合機１における各処理機能の動作について説明する。
複合機１はコピー機能、及びファクシミリ通信機能が実行可能で、前記ＲＯＭ１２には、各処理機能に対応して、２つのハードコーデック１５・１６の切り替えを制御する制御プログラムが格納されており、該制御プログラムにより、以下のようにハードコーデック１５・１６が切り替えられて、各処理機能が動作する。
【００１８】
まず、通常の手動送信操作による複合機１のファクシミリ送信動作について説明する。
図２に示すように、複合機１のＡＤＦ等に送信原稿がセットされて、ユーザにより操作部２のスタートキー２１が操作されると、ファクシミリ送信が発生し（ステップＳ１）、前記ＲＯＭ１２内の制御プログラムによって一方のハードコーデック１５（又は１６）が通信用に設定され、他方のハードコーデック１６（又は１５）が読取用に設定される（ステップＳ２）。
【００１９】
ＡＤＦ等にセットされた送信原稿は画像読取部３で読み取られて、その読取画情報は読取用に設定された他方のハードコーデック１６（又は１５）で蓄積用フォーマット（例えば、ＭＭＲ方式）にエンコードされて（ステップＳ３）、一旦、画像メモリ１４に格納される。この画像メモリ１４に格納された画情報は、通信用に設定された一方のハードコーデック１５（又は１６）により、必要に応じて送信用フォーマットに符号変換処理されて（ステップＳ４）、この符号変換処理中にコピー要求が発生しなければ（ステップＳ５）、そのまま一方のハードコーデック１５（又は１６）による送信画情報の符号変換処理が続行されて（ステップＳ６）、該送信用フォーマットにてファクシミリ送信される。
この画情報の送信用フォーマットは、ファクシミリ通信において、通信手順信号の送受信（やり取り）に基づいて決定される。
【００２０】
なお、上記フローでは、送信原稿の読取後に送信画情報の送信を行なうようになっているが、送信原稿が複数ある場合、読取処理と送信処理とが並行して実行される。また、前記ステップＳ４での通信用の一方のハードコーデック１５（又は１６）による符号変換処理は、ファクシミリ送信の度に行なわれるものではなく、送信用フォーマットと蓄積用フォーマットとが異なる場合に、符号変換処理が実行される。
【００２１】
前記ステップＳ４での、一方のハードコーデック１５（又は１６）による送信画情報の符号変換処理中に、コピー要求が発生すると（ステップＳ５）、前記ＲＯＭ１２内の制御プログラムに従って、読取用に設定された他方のハードコーデック１６（又は１５）による送信画情報のエンコード処理が全て完了するまで、コピー処理の読取り開始が保留される。送信画情報のエンコード処理が全て完了すると（ステップＳ７）、それによって空きとなった他方のハードコーデック１６（又は１５）を用いて、コピー処理の読取りが開始される。ＡＤＦ等にセットされたコピー原稿は画像読取部３で読み取られて、そのコピー画情報が他方のハードコーデック１６（又は１５）により蓄積用フォーマットにエンコードされ（ステップＳ８）、一旦、画像メモリ１４に格納される。このエンコード処理の完了後に（ステップＳ９）、該他方のハードコーデック１６（又は１５）は記録用に切り替えられて（ステップＳ１０）、画像メモリ１４に格納されたコピー画情報は、該他方のハードコーデック１６（又は１５）によりデコードされ（ステップＳ１１）、コピー画像が記録紙等に転写されてプリントアウトされる。
また、ファクシミリ送信の送信結果通知を記録する場合は、その記録はコピー処理の記録が全て完了した後に行われる。
【００２２】
このように、ファクシミリ送信中にコピー要求が発生した場合、送信用の読取りを中断することなく、送信用の読取りが全て完了した後にコピー処理の読取りを開始することにより、ファクシミリ送信を中断することなく、迅速にファクシミリ送信が行え、ファクシミリ送信料を削減することができる。
なお、送信用の読取りが完了した後の送信中（符号変換中）にコピー要求が発生した場合には、読取用である他方のハードコーデック１６（又は１５）は空きの状態であるので、直ちにコピー処理の読取りが開始される。
【００２３】
次に、時刻指定による自動送信における、複合機１のファクシミリ送信動作について説明する。
ここで、送信原稿は指定された送信時刻以前に、ＡＤＦ等にセットされて画像読取部３により読み取られていて、ハードコーデック１５（又は１６）によりエンコードされて画像メモリ１４に蓄積されているものとする。
図３に示すように、指定された送信時刻になると、ファクシミリ送信要求が発生して（ステップＴ１）、前記ＲＯＭ１２内の制御プログラムによって一方のハードコーデック１５（又は１６）が通信用に設定される（ステップＴ２）。
【００２４】
前記画像メモリ１４に蓄積されていた送信画情報は、通信用に設定された一方のハードコーデック１５（又は１６）により、必要に応じて送信用フォーマットに符号変換処理され（ステップＴ３）、この符号変換処理中にコピー要求が発生しなければ（ステップＴ４）、そのまま一方のハードコーデック１５（又は１６）による送信画情報の符号変換処理が続行されて（ステップＴ５）、該送信用フォーマットにてファクシミリ送信される。
この画情報の送信用フォーマットは、ファクシミリ通信において、通信手順信号の送受信（やり取り）に基づいて決定される。
【００２５】
なお、前記ステップＴ３での通信用の一方のハードコーデック１５（又は１６）による符号変換処理は、ファクシミリ送信の度に行なわれるものではなく、送信用フォーマットと蓄積用フォーマットとが異なる場合に、符号変換処理が実行される。
【００２６】
前記ステップＴ３での、一方のハードコーデック１５（又は１６）による送信画情報の符号変換処理中に、コピー要求が発生すると（ステップＴ４）、前記ＲＯＭ１２内の制御プログラムに従って、他方のハードコーデック１６（又は１５）が読取用に設定されて（ステップＴ６）、ＡＤＦ又は原稿読取載置台上にセットされたコピー原稿は画像読取部３で読み取られ、前記一方のハードコーデック１５（又は１６）による送信画情報の符号変換処理と並行して（同時に）、そのコピー画情報は読取用に設定された他方のハードコーデック１６（又は１５）で蓄積用フォーマットにエンコードされて（ステップＴ７）、一旦、画像メモリ１４に格納される。
なお、ＡＤＦで複数枚のコピー原稿を読み取った場合は、該他方のハードコーデック１６（又は１５）により該複数枚のコピー原稿の、全てのページのコピー画情報がエンコードされて、画像メモリ１４に蓄積される。
【００２７】
このエンコード処理の完了後に（ステップＴ８）、該他方のハードコーデック１６（又は１５）は記録用に切り替えられて（ステップＴ９）、画像メモリ１４に格納されたコピー画情報は、該他方のハードコーデック１６（又は１５）によりデコードされ（ステップＴ１０）、コピー画像が記録紙等に転写されてプリントアウトされる。
また、ファクシミリ送信の送信結果通知を記録する場合は、その記録はコピー処理の記録が全て完了した後に行われる。
【００２８】
このように、ファクシミリ送信中にコピー要求が発生した場合、ファクシミリ送信と並行してコピー処理を行なうことにより、ファクシミリ送信を中断することなく、迅速にファクシミリ送信が行え、ファクシミリ送信料を削減することができる。
【００２９】
次に、複合機１でのファクシミリ受信動作について説明する。
相手機からのファクシミリ受信が発生すると（ステップＵ１）、前記ＲＯＭ１２内の制御プログラムによって一方のハードコーデック１５（又は１６）が通信用に設定され、他方のハードコーデック１６（又は１５）が記録用に設定される（ステップＵ２）。
【００３０】
そして、複合機１では、相手機からの受信画情報がファクシミリ受信され、該受信画情報は通信用に設定された一方のハードコーデック１５（又は１６）により、必要に応じて蓄積用フォーマットに符号変換処理されて（ステップＵ３）、一旦、画像メモリ１４に格納される。この符号変換処理中にコピー処理要求が発生しなければ（ステップＵ４）、そのまま一方のハードコーデック１５（又は１６）による受信画情報の符号変換処理が続行される（ステップＵ５）。そして、この画像メモリ１４に格納された受信画情報は、記録用に設定された他方のハードコーデック１６（又は１５）によりデコードされて（ステップＵ６）、受信画像が記録紙等に転写されてプリントアウトされる。
【００３１】
なお、上記フローでは、受信画情報の受信・蓄積後に、受信画像の記録を行なうようになっているが、受信画情報が複数ページある場合、受信・蓄積処理と受信画情報の記録処理とが並行して実行される。また、前記ステップＵ３での通信用の一方のハードコーデック１５（又は１６）による符号変換処理は、通信の度に行なわれるものではなく、相手機からの受信フォーマットと蓄積用フォーマットとが異なる場合に、符号変換処理が実行される。
【００３２】
図５に示すように、前記ステップＵ３での、一方のハードコーデック１５（又は１６）による受信画情報の符号変換処理中に、コピー要求が発生すると（ステップＵ４）、詳細は後述するが、ファクシミリ優先モードに設定されている複合機１では（ステップＵ７）、前記ＲＯＭ１２内の制御プログラムに従って、記録用に設定されていた他方のハードコーデック１５（又は１６）により全ての受信画情報のデコード処理が完了した後に（ステップＵ８）、該他方のハードコーデック１６（又は１５）が読取用に切り替えられて（ステップＵ９）、コピー処理が開始される。
【００３３】
ＡＤＦ又は原稿読取載置台上にセットされたコピー原稿は画像読取部３で読み取られて、そのコピー画情報は読取用に設定された他方のハードコーデック１６（又は１５）により蓄積用フォーマットにエンコードされて（ステップＵ１０）、一旦、画像メモリ１４に格納される。なお、ＡＤＦで複数枚のコピー原稿を読み取った場合は、該他方のハードコーデック１６（又は１５）により該複数枚のコピー原稿の、全てのページのコピー画情報がエンコードされて、画像メモリ１４に蓄積される。このエンコード処理の完了後に（ステップＵ１１）、該他方のハードコーデック１６（又は１５）は記録用に切り替えられて（ステップＵ１２）、画像メモリ１４に格納されたコピー画情報は、該他方のハードコーデック１６（又は１５）によりデコードされ（ステップＵ１３）、コピー画像が記録紙等に転写されてプリントアウトされる。
【００３４】
この複合機１の画像記録部４からの排出部には仕分け手段（図示略）が設けられていて、受信画情報を記録した記録紙は排出トレイ上の一方寄りに、コピー画情報を記録した記録紙は排出トレイ上の他方寄りに排出されるように構成され、受信画情報を記録した記録紙と、コピー画情報を記録した記録紙との境目が容易に視認でき、簡単に仕分けることができるように構成されている。
なお、この仕分け手段の構成については、上記構成に限定されるものではない。
【００３５】
このように、全ての受信画情報の記録（デコード）が完了した後にコピー処理を開始させることにより、回線の接続状態を中断することなく、全ての受信画情報の内容を早く確認でき、また受信画情報を記録した記録紙とコピー処理の記録紙とが混載するのを防止できる。
【００３６】
全ての受信画情報の記録（デコード）が完了した後にコピー処理を開始させる代わりに、全ての受信画情報の符号変換処理が完了した後、それによって空きとなった一方のハードコーデック１５（又は１６）によりコピー処理の読取り（エンコード）を開始し、全ての受信画情報の記録（デコード）が完了した後に、何れかのハードコーデック１５又は１６によりコピー画情報の記録（デコード）を行なうようにしてもよい。この場合、コピー処理がより迅速になる。
【００３７】
以上は、ファクシミリ受信とコピー要求とが重なった場合に、ファクシミリ受信を優先させた場合の説明であるが、コピー機能を優先させるように複合機１を設定することもできる。
この処理を決定するためのモード（ファクシミリ優先モード、コピー優先モード）は切替え自在となっており、例えば操作部２にある所定のキーを繰作することにより、予めファクシミリ優先モード又はコピー優先モードを選択することができる。また、使用状況に合わせて、適宜モード変更も可能である。
【００３８】
相手機からのファクシミリ受信中に、コピー要求が発生した場合（ステップＵ４）、コピー優先モードに設定されている複合機１では（ステップＵ７）、受信画情報の受信・蓄積は中断することなく継続して行い、受信画情報の記録（デコード）を一旦中断し（ステップＵ１４）、それまで記録用として使用していた他方のハードコーデック１６（又は１５）を読取用に切り替えて（ステップＵ１５）、コピー処理における読取り（エンコード）が開始される（ステップＵ１６）。受信画情報の記録（デコード）の中断は、ページ単位で中断される。
【００３９】
その後、コピー処理の全原稿の読取り（エンコード）が完了した後（ステップＵ１７）、それまで読取用として使用していた他方のハードコーデック１６（又は１５）を記録用に切り替えて（ステップＵ１８）、コピー処理の記録（デコード）を行い（ステップＵ１９）、その記録（デコード）が全て完了した後（ステップＵ２０）、それまでコピー処理の記録（デコード）に使用していた他方のハードコーデック１６（又は１５）を用いて（または、受信画情報の符号変換処理を行なっていた一方のハードコーデック１５（又は１６）が空いていればそちらを用いてもよい）、中断していた受信画情報の記録（デコード）が行われる（ステップＵ２１）。
なお、コピー要求の発生が受信画情報の記録前（先頭ページの受信中）であれば、受信画情報の記録（デコード）は全て後回しにされ、全ての受信画情報がコピー処理（読取り及び記録）の完了後に記録（デコード）されることになる。
【００４０】
以上のようにして、受信画情報が記録された記録紙と、コピー画情報が記録された記録紙とは、前記仕分け手段によって、排出トレイ上の異なる位置にずらして排出され、容易に仕分けることができるようになっている。
【００４１】
このように、コピー優先モードでは、受信・蓄積は継続して行うとともに、受信画情報の記録を中断し、コピー処理における読取り及び記録が完了した後、蓄積している受信画情報を記録させることにより、回線の接続状態を中断することなく、コピー処理を迅速に行うことができる。また、コピー要求が発生した際、直ちに受信画情報の記録（デコード）を中断するのではなく、そのときに記録（デコード）しているページが終了してから中断することにより、受信画情報を不完全に記録した記録紙の発生を防止できる。
【００４２】
なお、前記の手動操作によるファクシミリ送信とコピー要求とが重なった場合、及び時刻指定によるファクシミリ送信とコピー要求とが重なった場合とについては、ファクシミリ優先モードに設定されていようがコピー優先モードに設定されていようが、同様の処理が行なわれる。
【００４３】
次に、複合機１でのコピー動作について説明する。
図６に示すように、ＡＤＦ又は原稿読取載置台上にコピー原稿がセットされて、操作部２のスタートキー２１が押されると、コピー要求が発生して（ステップＶ１）、前記ＲＯＭ１２内の制御プログラムによって一方のハードコーデック１５（又は１６）が読取用に、他方のハードコーデック１６（又は１５）が記録用に設定される（ステップＶ２）。
【００４４】
そして、ＡＤＦ又は原稿読取載置台上にセットされたコピー原稿は画像読取部３で読み取られて、その画情報は読取用に設定された一方のハードコーデック１５（又は１６）で蓄積用フォーマットにエンコードされて（ステップＶ３）、一旦、画像メモリ１４に格納される。そして、この画像メモリ１４に格納されたコピー画情報は、記録用に設定された他方のハードコーデック１６（又は１５）によりデコードされ（ステップＶ４）、このコピー処理中にファクシミリ受信、又は手動操作によるファクシミリ送信、又は時刻指定によるファクシミリ送信など、ファクシミリ通信動作要求が発生しなければ（ステップＶ５）、そのまま各ハードコーデック１５・１６によりそれぞれの処理（エンコード処理、デコード処理）が続行されて（ステップＶ６）、コピー画像が記録紙等に転写されてプリントアウトされる。
【００４５】
なお、ＡＤＦで複数枚のコピー原稿を読み取った場合は、一方のハードコーデック１５（又は１６）により該複数枚のコピー原稿のコピー画情報がページ単位でエンコードされて、画像メモリ１４に格納されていき、この一方のハードコーデック１５（又は１６）によるエンコード処理と並行して、該画像メモリ１４に格納されたコピー画情報が、順次、ページ単位で他方のハードコーデック１６（又は１５）によってデコード処理される。
このようにコピー処理では、読取りと記録とが並行して行なわれて、コピー処理速度の向上が図られている。
【００４６】
次に、コピー処理中に、ファクシミリ通信動作要求が発生した場合（ステップＶ５）について、以下、時刻指定によるファクシミリ送信要求が発生した場合と、手動操作による通常のファクシミリ送信が発生した場合と、相手機からのファクシミリ受信が発生した場合との、３通りのケースに場合分けして説明する。
【００４７】
まず、図７に示すように、コピー処理中に、時刻指定によるファクシミリ送信要求が発生した場合（ステップＶ７）、コピー優先モードに設定されている複合機１では（ステップＶ８）、送信時刻になっても、前記ＲＯＭ１２内の制御プログラムにより、このとき読取用に使用されている一方のハードコーデック１５（又は１６）と、記録用に使用されている他方のハードコーデック１６（又は１５）のうち、何れかのハードコーデック１５又は１６の使用が完了するまでファクシミリ送信動作の実行が禁止されている（ステップＶ９）。通常は、読取用に使用されている一方のハードコーデック１５（又は１６）の使用が先に終了し、該一方のハードコーデック１５（又は１６）によるコピー画情報のエンコード処理が完了すると（ステップＶ１０）、前記ＲＯＭ１２内の制御プログラムによって、該一方のハードコーデック１５（又は１６）が通信用に設定される（ステップＶ１１）。
【００４８】
今回送信分の送信原稿は、前記送信時刻以前に、予め読み取られて送信画情報として画像メモリ１４に蓄積されており、この画像メモリ１４に蓄積されていた送信画情報が、通信用に切り替えられた一方のハードコーデック１５（又は１６）により、必要に応じて送信用フォーマットに符号変換処理されて（ステップＶ１２）、該送信用フォーマットにてファクシミリ送信される。
【００４９】
なお、前記ステップＶ１２での通信用の一方のハードコーデック１５（又は１６）による符号変換処理は、ファクシミリ送信の度に行なわれるものではなく、送信用フォーマットと蓄積用フォーマットとが異なる場合に、符号変換処理が実行される。
【００５０】
以上は、コピー処理中に、時刻指定によるファクシミリ送信要求が発生した場合に、コピー処理を優先させた場合の説明であるが、ファクシミリ送信を優先させるように複合機１を設定することもできる。
前記のように、この処理を決定するためのモード（ファクシミリ優先モード、コピー優先モード）は切替え自在となっていて、コピー処理中に、時刻指定によるファクシミリ送信要求が発生した場合（ステップＵ７）、ファクシミリ優先モードに設定されている複合機１では（ステップＶ８）、コピー画情報の記録（デコード）を一旦中断し（ステップＶ１３）、それまで記録用として使用していた他方のハードコーデック１６（又は１５）を通信用に強制的に切り替えて（ステップＶ１４）、送信処理における符号変換処理が開始される（ステップＶ１５）。コピー画情報の記録（デコード）の中断は、ページ単位で中断される。
【００５１】
このとき、一方のハードコーデック１５（又は１６）によってコピー処理の読取り（エンコード）が行なわれていてコピー画情報は次々と画像メモリ１４に蓄積されており、該一方のハードコーデック１５（又は１６）によるエンコード処理と並行して他方のハードコーデック１６（又は１５）による符号変換処理が行なわれる。
そして、この一方のハードコーデック１５（又は１６）によるエンコード処理、又は他方のハードコーデック１６（又は１５）による符号変換処理の、何れかの処理が完了すると（ステップＶ１６）、先に処理が完了した方のハードコーデック１５又は１６が記録用に切り替えられて（ステップＶ１７）、中断していたコピー処理の記録（デコード）が再開される（ステップＶ１８）。
【００５２】
なお、時刻指定によるファクシミリ送信要求の発生がコピー画情報の記録前（先頭ページの読取中）であれば、コピー画情報の記録（デコード）は全て後回しにされ、全てのコピー画情報がファクシミリ送信処理の完了後に記録（デコード）されることになる。
【００５３】
また、前記ステップＶ１５での通信用の他方のハードコーデック１６（又は１５）による符号変換処理は、ファクシミリ送信の度に行なわれるものではなく、送信用フォーマットと蓄積用フォーマットとが異なる場合に、符号変換処理が実行される。
【００５４】
このように、ファクシミリ優先モードでは、コピー画情報の記録を中断し、時刻指定によるファクシミリ送信を行なった後、または、コピー画情報の読取りが完了した後、再び、コピー処理の記録が再開され、コピー画情報が記録紙等にプリントアウトされる。また、送信要求が発生した際、直ちにコピー画情報の記録（デコード）を中断するのではなく、そのときに記録（デコード）しているページが終了してから中断することにより、コピー画情報を不完全に記録した記録紙の発生を防止できる。
【００５５】
次に、図８に示すように、コピー処理中に、手動操作による通常のファクシミリ送信が発生した場合（ステップＶ１９）、この場合には、設定されているモードに関係なく（ファクシミリ受信優先モードに設定されていようがコピー優先モードに設定されていようが）、以下のように処理が行なわれる。
この手動操作による通常のファクシミリ送信の発生により、前記ＲＯＭ１２内の制御プログラムによって、このとき読取用に使用されている一方のハードコーデック１５（又は１６）によるエンコード処理と、記録用に使用されている他方のハードコーデック１６（又は１５）によるデコード処理との、両方の処理が中断される（ステップＶ２０）。
【００５６】
なお、このコピー画情報の読取り（エンコード）の中断と、記録（デコード）の中断とは、それぞれページ単位で中断される。
【００５７】
そして、この２つのハードコーデック１５・１６は、一方は送信処理の読取用に、他方は通信用に強制的に切り替えられる（ステップＶ２１）。
ＡＤＦ等にセットされた送信原稿は画像読取部３で読み取られて、その送信画情報は読取用に設定された一方のハードコーデック１５（又は１６）で蓄積用フォーマットにエンコードされて（ステップＶ２２）、一旦、画像メモリ１４に格納される。そして、この画像メモリ１４に格納された送信画情報は、他方のハードコーデック１６（又は１５）により送信用フォーマットに符号変換処理されて（ステップＳ２３）、該送信用フォーマットにてファクシミリ送信される。
【００５８】
そうして、この２つのハードコーデック１５・１６による通信処理が完了すると（ステップＶ２４）、前記ＲＯＭ１２内の制御プログラムによって一方のハードコーデック１５（又は１６）がコピー処理の読取用に、他方のハードコーデック１６（又は１５）が記録用に切り替えられ（ステップＶ２５）、中断していたコピー処理の読取り（エンコード）と（ステップＶ２６）、記録（デコード）とが再開されて（ステップＶ２７）、コピー画像が続きから記録紙等にプリントアウトされる。
【００５９】
なお、上記フローでは、送信原稿の読取後に送信画情報の送信を行なうようになっているが、送信原稿が複数ある場合、読取処理と送信処理とが並行して実行される。また、前記ステップＶ２３での通信用の他方のハードコーデック１６（又は１５）による符号変換処理は、ファクシミリ送信の度に行なわれるものではなく、送信用フォーマットと蓄積用フォーマットとが異なる場合に、符号変換処理が実行される。
【００６０】
なお、通常のファクシミリ送信の発生がコピー画情報の記録前（先頭ページの読取中）であれば、コピー画情報の記録（デコード）は全て後回しにされ、全てのコピー画情報がファクシミリ送信処理の完了後に記録（デコード）されることになる。
【００６１】
このように、コピー画情報の記録を中断し、通常のファクシミリ送信を行なった後、再び、コピー処理の記録が再開され、コピー画情報が記録紙等にプリントアウトされる。また、送信要求が発生した際、直ちにコピー画情報の記録（デコード）を中断するのではなく、そのときに記録（デコード）しているページが終了してから中断することにより、コピー画情報を不完全に記録した記録紙の発生を防止できる。
【００６２】
なお、前記ステップＶ２４の前に、一方のハードコーデック１５（又は１６）によるエンコード処理、又は他方のハードコーデック１６（又は１５）による符号変換処理の、何れかの処理が完了した時点で、先に処理が完了した方のハードコーデック１５又は１６をコピー処理の読取用、又は記録用に切り替えて、コピー画情報のエンコード処理、又はデコード処理の何れか一方の処理を、他方の処理に先行して行い、コピー処理を再開するように構成してもよい。
【００６３】
例えば、通常、読取用に設定された一方のハードコーデック１５（又は１６）による送信画情報のエンコード処理が先に完了するが、該エンコード処理の完了後、直ちに該一方のハードコーデック１５（又は１６）をコピー処理に係る読取用に切り替えて、中断されたコピー画情報のエンコード処理を実行させるようにする。こうしてコピー処理のデコード処理に先行してエンコード処理を実行し、コピー画情報を画像メモリ１４に予め蓄積しておき、その後に他方のハードコーデック１６（又は１５）による送信画情報の符号変換処理が完了すると、該他方のハードコーデック１６（又は１５）を記録用に切り替え、一方のハードコーデック１５（又は１６）によるエンコード処理を追いかけながら、中断されたコピー画情報のデコード処理が実行される。
【００６４】
最後に、図９に示すように、コピー処理中に、相手機からのファクシミリ受信が発生した場合（ステップＶ２８）、コピー優先モードに設定されている複合機１では（ステップＶ２９）、前記ＲＯＭ１２内の制御プログラムによって、このとき記録用に使用している他方のハードコーデック１６（又は１５）でのデコード処理が中断され（ステップＶ３０）、該他方のハードコーデック１６（又は１５）が通信用に強制的に切り替えられる（ステップＶ３１）。
なお、このとき読取用に使用している一方のハードコーデック１５（又は１６）でのエンコード処理を中断して、該一方のハードコーデック１５（又は１６）を通信用に強制的に切り替えてもよい。
【００６５】
ここで、他方のハードコーデック１６（又は１５）によるデコード処理の中断は、ページ単位で中断される。そして、通信用に切り替えられた他方のハードコーデック１６（又は１５）により相手機からの受信画情報が蓄積用フォーマットに符号変換処理されて（ステップＶ３２）、一時的に画像メモリ１４に蓄積される。
この他方のハードコーデック１６（又は１５）による受信画情報の符号変換処理が全て完了した後（ステップＶ３３）、該他方のハードコーデック１６（又は１５）は再び記録用に切り替えられて（ステップＶ３４）、中断されたコピー画情報が再びデコードされる（ステップＶ３５）。
【００６６】
このステップＶ２８からステップＶ３５の間も、一方のハードコーデック１５（又は１６）ではエンコード処理が実行されていて、次々とコピー画情報が画像メモリ１４に蓄積されている。そして、他方のハードコーデック１６（又は１５）により中断されたコピー画情報のデコードが再開されると、この画像メモリ１４に蓄積されているコピー画情報が次々とデコードされていき、コピー画情報が続きから記録紙等に転写されてプリントアウトされる。
そして、他方のハードコーデック１６（又は１５）によるコピー画情報のデコード処理が完了した後（ステップＶ３６）、該他方のハードコーデック１６（又は１５）により画像メモリ１４に蓄積されている受信画情報がデコードされ（ステップＶ３７）、記録紙等に転写されてプリントアウトされる。
【００６７】
以上のようにして、受信画情報が記録された記録紙と、コピー画情報が記録された記録紙とは、前記仕分け手段によって、排出トレイ上の異なる位置にずらして排出され、容易に仕分けることができるようになっている。
【００６８】
なお、前記ステップＶ３２での通信用の他方のハードコーデック１６（又は１５）による符号変換処理は、ファクシミリ受信の度に行なわれるものではなく、受信フォーマットと蓄積用フォーマットとが異なる場合に、符号変換処理が実行される。
【００６９】
このように、コピー画情報の記録を中断し、ファクシミリ受信画情報の蓄積のみを行なった後、再び、コピー処理の記録が再開され、コピー画情報が記録紙等にプリントアウトされ、コピー画情報の記録の完了の後に、受信画情報が記録紙等にプリントアウトされる。また、ファクシミリ受信が発生した際、直ちにコピー画情報の記録（デコード）を中断するのではなく、そのときに記録（デコード）しているページが終了してから中断することにより、コピー画情報を不完全に記録した記録紙の発生を防止できる。
【００７０】
次に、コピー処理中に、相手機からのファクシミリ受信が発生した場合（ステップＶ２８）、ファクシミリ優先モードに設定されている複合機１では（ステップＶ２９）、前記ＲＯＭ１２内の制御プログラムによって、このとき記録用に使用している他方のハードコーデック１６（又は１５）でのデコード処理が中断され（ステップＶ３８）、該他方のハードコーデック１６（又は１５）が通信用に強制的に切り替えられる（ステップＶ３９）。
なお、このとき読取用に使用している一方のハードコーデック１５（又は１６）でのエンコード処理を中断して、該一方のハードコーデック１５（又は１６）を通信用に強制的に切り替えてもよい。
【００７１】
ここで、他方のハードコーデック１６（又は１５）によるデコード処理の中断は、ページ単位で中断される。そして、通信用に切り替えられた他方のハードコーデック１６（又は１５）により相手機からの受信画情報が蓄積用フォーマットに符号変換処理されて（ステップＶ４０）、一時的に画像メモリ１４に蓄積される。
この他方のハードコーデック１６（又は１５）による受信画情報の符号変換処理が全て完了した後（ステップＶ４１）、該他方のハードコーデック１６（又は１５）は受信処理の記録用に切り替えられて（ステップＶ４２）、ファクシミリ優先モードでは、先に画像メモリ１４に蓄積されている受信画情報がデコードされ（ステップＶ４３）、記録紙等に転写されてプリントアウトされる。
【００７２】
このステップＶ３８からステップＶ４３の間も、一方のハードコーデック１５（又は１６）ではコピー画情報のエンコード処理が実行されていて、次々とコピー画情報が画像メモリ１４に蓄積されている。
そして、他方のハードコーデック１６（又は１５）による受信画情報のデコードが完了した後に（ステップＶ４４）、該他方のハードコーデック１６（又は１５）により画像メモリ１４に蓄積されているコピー画情報がデコードされ（ステップＶ４５）、記録紙等に転写されてプリントアウトされる。
【００７３】
以上のようにして、受信画情報が記録された記録紙と、コピー画情報が記録された記録紙とは、前記仕分け手段によって、排出トレイ上の異なる位置にずらして排出され、容易に仕分けることができるようになっている。
【００７４】
なお、前記ステップＶ３２での通信用の他方のハードコーデック１６（又は１５）による符号変換処理は、ファクシミリ受信の度に行なわれるものではなく、受信フォーマットと蓄積用フォーマットとが異なる場合に、符号変換処理が実行される。
【００７５】
このように、コピー画情報の記録を中断し、ファクシミリ受信画情報を先に記録紙等にプリントアウトした後、コピー処理の記録が再開されて、コピー画情報が記録紙等にプリントアウトされる。また、ファクシミリ受信が発生した際、直ちにコピー画情報の記録（デコード）を中断するのではなく、そのときに記録（デコード）しているページが終了してから中断することにより、コピー画情報を不完全に記録した記録紙の発生を防止できる。
【００７６】
なお、前記のように、通信用に設定されたハードコーデック１５又は１６による符号変換処理は、ファクシミリ送受信の度に行なわれるものではなく、ファクシミリ送信時においては送信用フォーマットと蓄積用フォーマットとが異なる場合に、ファクシミリ受信時においては受信フォーマットと蓄積用フォーマットとが異なる場合に、符号変換処理が実行される。
【００７７】
従って、送信用フォーマットと蓄積用フォーマットとが同じである場合、又は受信フォーマットと蓄積用フォーマットとが同じである場合には、符号変換処理は実行されないが、この通信用に設定されたハードコーデック１５又は１６を画情報が通過するため、送信又は受信動作の実行中はそのハードコーデック１５又は１６は使用中となる。
【００７８】
以上のような構成で、従来、複合機に実装されていた、読取用、記録用、通信用の少なくとも３つのハードコーデックを、２つに削減することができ、コストの削減を図ることができるとともに、少ないハードコーデック１５・１６を有効に活用して、コピーとファクシミリ通信とを別々に動作させる場合には、それぞれの処理速度は、ハードコーデックが各処理機能に対応して少なくとも３つ実装されていた従来の複合機と同程度に高速であり、コピーとファクシミリ通信とを同時に動作させる場合も、十分に高速に処理を行うことができる。
【００７９】
なお、ＡＤＦで両面読取が可能に構成された画像形成装置では、制御部に表面読取用と、裏面読取用と、記録用と、通信用との４つのハードコーデックが実装されており、本発明によれば、このタイプの画像形成装置も４つのハードコーデックを３つに削減することができる。
【００８０】
以下、この３つのハードコーデックを備えた画像形成装置について説明すると、該画像形成装置はその制御部に、使用するハードコーデックの切り替えを制御する制御手段を備え、制御手段は、待機状態から両面コピーを実行する際には、２つのハードコーデックを表面読取用と裏面読取用として、残りの１つのハードコーデックを記録用として設定して、表面読取用ハードコーデックによるエンコード処理と、裏面読取用ハードコーデックによるエンコード処理と、記録用ハードコーデックによるデコード処理とを並行して行うように制御する。
【００８１】
また、１つのハードコーデックを通信用として使用中に両面コピー動作を実行する際には、２つ目及び３つ目のハードコーデックをコピー用として設定し、該２つのコピー用ハードコーデックにより表面読取処理におけるエンコード処理と、裏面読取処理におけるエンコード処理とを行った後、該該２つのコピー用ハードコーデックの何れか一方、例えば、表面読取用に設定されていたハードコーデックで、記録処理におけるデコード処理を行うように制御する。
【００８２】
そうして、両面コピー動作用として表面読取用、裏面読取用、記録用の３つのハードコーデックを使用中に通信動作の要求が発生した際には、使用中にある３つのハードコーデックのうち、少なくとも何れかのハードコーデックの使用が終了するまで通信動作の実行を禁止するように制御する。
【００８３】
また、両面コピー動作用として表面読取用、裏面読取用、記録用の３つのハードコーデックを使用中に通信動作における受信が発生した際には、使用中にある３つのハードコーデックのうち、何れか１つのハードコーデックを、例えば、記録用に設定されていたハードコーデックを通信用に切り替える。
【００８４】
以上のような構成で、表面読取用、裏面読取用、記録用、通信用の４つのハードコーデックが実装されていた複合機については、３つのハードコーデックに削減することができ、コストの削減を図ることができるとともに、少ないハードコーデックを有効に活用して、コピーとファクシミリ通信とを別々に動作させる場合には、それぞれの処理速度は、ハードコーデックが各処理機能に対応して４つ実装されていた従来の画像形成装置と同程度に高速であり、コピーとファクシミリ通信とを同時に動作させる場合も、十分に高速に処理を行うことができる。
【００８５】
なお、ハードコーデックが５つ以上実装された画像形成装置についての記載は省略するが、これらハードコーデックが５つ以上実装される画像形成装置についても、前記同様に、コピー機能の実行要求及びファクシミリ通信機能の実行要求の発生状況に応じて、使用するハードコーデックの切り替えを制御する制御手段を設けることで、ハードコーデックの実装数を削減することができ、コストの削減を図ることができるとともに、少ないハードコーデックを有効に活用して、コピーとファクシミリ通信とを別々に動作させる場合には、それぞれの処理速度は、ハードコーデックが各処理機能に対応して多数実装されていた従来の画像形成装置と同程度に高速であり、コピーとファクシミリ通信とを同時に動作させる場合も、十分に高速に処理を行うことができる。
【００８６】
【発明の効果】
本発明は、以上のように構成したので、次に示すような効果を奏する。
まず、請求項１の発明では、ハードコーデックの実装数を削減して、コストの削減を図ることができるとともに、少ないハードコーデックを有効に活用して、コピーとファクシミリ通信とを効率良く実行することができる。
【００８７】
また、請求項２の発明では、ハードコーデックの実装数を削減して、コストの削減を図ることができるとともに、少ないハードコーデックを有効に活用して、コピーとファクシミリ通信とを効率良く実行することができる。また、コピーとファクシミリ通信とを同時に動作させる場合も、コピー処理を優先しながら十分に高速に処理を行うことができる。
【００８８】
そして、請求項３の発明では、ハードコーデックの実装数を削減して、コストの削減を図ることができるとともに、少ないハードコーデックを有効に活用して、コピーとファクシミリ受信とを効率良く実行することができる。また、コピーとファクシミリ受信とを同時に動作させる場合も、十分に高速に処理を行うことができる。
【図面の簡単な説明】
【図１】複合機１の制御構成を示すブロック図。
【図２】複合機１での通常のファクシミリ送信動作を説明するフローチャート。
【図３】複合機１での時刻指定によるファクシミリ送信動作を説明するフローチャート。
【図４】複合機１でのファクシミリ受信動作を説明するフローチャート。
【図５】図４に示すフローチャートのサブルーチン。
【図６】複合機１でのコピー動作を説明するフローチャート。
【図７】図６に示すフローチャートのサブルーチン。
【図８】図７に示すフローチャートのサブルーチン。
【図９】図８に示すフローチャートのサブルーチン。
【符号の説明】
１　　複合機
２　　操作部
３　　画像読取部
４　　画像記録部
１０　　ＣＰＵ
１０ａ　制御手段
１５　　第１ハードコーデック
１６　　第２ハードコーデック
【図１】
2004096691.tif 000003
【図２】
2004096691.tif 000004
【図３】
2004096691.tif 000005
【図４】
2004096691.tif 000006
【図５】
2004096691.tif 000007
【図６】
2004096691.tif 000008
【図７】
2004096691.tif 000009
【図８】
2004096691.tif 000010
【図９】
2004096691.tif 000011